(57)【要約】 【課題】設定情報の更新等の実行タイミングに配慮が必要な電子機器であっても、適切なタイミングで確実に設定情報の更新等を実行することができる電子黒板等の提供。【解決手段】本発明の実施形態に係る電子黒板は、取得部と、制御部と、送信部とを具備する。取得部は、管理サーバから設定変更処理の実行要求を取得する。制御部は、実行要求を取得したときに、設定変更処理が実行可能である場合には、管理サーバから取得した設定情報を用いて設定変更処理を実行し、設定変更処理が実行不可能である場合には、設定変更処理の実行を保留した後設定変更処理が実行可能な状態になったことを契機として、管理サーバから取得した設定情報を用いて設定変更処理を実行する。送信部は、設定変更処理の実行に関する結果情報を前記管理サーバに送信する。【選択図】図５
2020155897.tif 000002
【特許請求の範囲】
【請求項１】
管理サーバから設定変更処理の実行要求を取得する取得部と、
前記実行要求を取得したときに、前記設定変更処理が実行可能である場合には、前記管理サーバから取得した設定情報を用いて前記設定変更処理を実行し、前記設定変更処理が実行不可能である場合には、前記設定変更処理の実行を保留した後前記設定変更処理が実行可能な状態になったことを契機として、前記管理サーバから取得した前記設定情報を用いて前記設定変更処理を実行する制御部と、
前記設定変更処理の実行に関する結果情報を前記管理サーバに送信する送信部と、
を具備する電子黒板。
【請求項２】
前記取得部は、予約管理装置より前記電子黒板に関する予約情報を取得し、
前記制御部は、前記設定変更処理の実行を保留した場合には、前記予約情報を参照して前記設定変更処理を実行するタイミングを決定する請求項１に記載の電子黒板。
【請求項３】
前記制御部は、前記設定変更処理の実行を保留した後前記電子黒板がスタンバイモードに移行したことを契機として、前記管理サーバから取得した前記設定情報を用いて前記設定変更処理を実行する請求項１又は２に記載の電子黒板。
【請求項４】
管理サーバと、前記管理サーバと通信可能に接続された少なくとも一つの電子黒板と、を具備する管理システムであって、
前記管理サーバは、前記電子黒板に設定変更処理の実行を要求する送信部を有し、
前記少なくとも一つの電子黒板は、管理サーバから設定変更処理の実行要求を取得する取得部と、前記実行要求を取得したときに、前記設定変更処理が実行可能である場合には、前記管理サーバから取得した設定情報を用いて前記設定変更処理を実行し、前記設定変更処理が実行不可能である場合には、前記設定変更処理の実行を保留した後前記設定変更処理が実行可能な状態になったことを契機として、前記管理サーバから取得した前記設定情報を用いて前記設定変更処理を実行する制御部と、前記設定変更処理の実行に関する結果情報を前記管理サーバに送信する送信部と、を有する
電子黒板管理システム。
【請求項５】
前記管理サーバは、前記結果情報を表示する表示部をさらに具備する請求項４に記載の電子黒板管理システム。
【請求項６】
前記取得部は、予約管理装置より前記電子黒板に関する予約情報を取得し、
前記制御部は、前記設定変更処理の実行を保留した場合には、前記予約情報を参照して前記設定変更処理を実行するタイミングを決定する請求項４又は５に記載の電子黒板管理システム。
【請求項７】
前記制御部は、前記設定変更処理の実行を保留した後前記電子黒板がスタンバイモードに移行したことを契機として、前記管理サーバから取得した前記設定情報を用いて前記設定変更処理を実行する請求項４乃至６のうちいずれか一項に記載の電子黒板管理システム。
【請求項８】
管理サーバから設定変更処理の実行要求を取得するステップと、
前記実行要求を取得したときに、前記設定変更処理が実行可能である場合には、前記管理サーバから取得した設定情報を用いて前記設定変更処理を実行するステップと、
前記実行要求を取得したときに、前記設定変更処理が実行不可能である場合には、前記設定変更処理の実行を保留した後前記設定変更処理が実行可能な状態になったことを契機として、前記管理サーバから取得した前記設定情報を用いて前記設定変更処理を実行するステップと、
前記設定変更処理の実行に関する結果情報を前記管理サーバに送信するステップと、
を具備する電子黒板管理方法。
【発明の詳細な説明】
【技術分野】
【０００１】
本発明は、電子黒板、電子黒板管理システム及び電子黒板管理方法に関する。
【背景技術】
【０００２】
プリンタやＭＦＰなどの電子機器を統括する管理サーバを設置し、当該管理サーバに登録してある各電子機器の状態や設定値を、ネットワークを介して取得し、設定情報の変更や更新等を一括して行う管理システムが従来から存在する。これにより、各電子機器に対して、管理サーバからネットワークを介して統括的に管理することができる。
【０００３】
特許文献１には、電子機器における設定情報の更新等をより確実に行う目的で、設定情報を管理する管理サーバ側において電子機器が更新可能な状態であるか否かを判定し、更新可能な状態であると判定した場合には、電子機器の設定情報を更新する管理システムが開示されている。
【発明の概要】
【発明が解決しようとする課題】
【０００４】
しかしながら、従来の一般的な管理システムでは、管理サーバは、対象となる電子機器と更新可能な状態になるまで一定期間繰り返し通信を実行し、更新可能と判定された後に設定情報の更新処理を実行する。係る構成では、プリンタやＭＦＰなど、使用時間が比較的短い電子機器については、大きな問題とならない。一方、例えば電子黒板等の使用時間が比較的長い電子機器については、多くの場合、更新可能な状態になるまで一定期間繰り返される通信が無駄になることが想定される。
【０００５】
また、特許文献１に記載の管理システムは、電子機器側から管理サーバに対して設定情報の更新を要求するものである。従って、管理サーバ側から電子機器に対して設定情報の更新する際の上記問題点は解消されていない。
【０００６】
本発明は、上記事情に鑑みてなされたものであり、設定情報の更新等の実行タイミングに配慮が必要な電子黒板等の電子機器であっても、適切なタイミングで確実に設定情報の更新等を実行することができる電子黒板、電子黒板管理システム及び電子黒板管理方法を提供することを目的とする。
【課題を解決するための手段】
【０００７】
上述した課題を解決し、目的を達成するために、本発明は、管理サーバから設定変更処理の実行要求を取得する取得部と、前記実行要求を取得したときに、前記設定変更処理が実行可能である場合には、前記管理サーバから取得した設定情報を用いて前記設定変更処理を実行し、前記設定変更処理が実行不可能である場合には、前記設定変更処理の実行を保留した後前記設定変更処理が実行可能な状態になったことを契機として、前記管理サーバから取得した前記設定情報を用いて前記設定変更処理を実行する制御部と、前記設定変更処理の実行に関する結果情報を前記管理サーバに送信する送信部と、を具備する電子黒板である。
【発明の効果】
【０００８】
本発明によれば、設定情報の更新等の実行タイミングに配慮が必要な電子黒板等の電子機器であっても、適切なタイミングで確実に設定情報の更新等を実行することができる電子黒板、電子黒板管理システム及び電子黒板管理方法を実現することができる。
【図面の簡単な説明】
【０００９】
【図１】図１は、本発明の実施の形態に係る機器管理システム１の一例の構成を示す図である。
【図２】図２は、機器管理サーバ３の一例の構成を示す図である。
【図３】図３は、電子黒板２のハードウェア構成図である。
【図４】図４は、本実施形態に係る電子黒板２及び機器管理サーバ３の機能構成に関するブロック図である。
【図５】図５は、本発明の実施形態に係る設定情報変更処理の流れを示したフローチャートである。
【図６】図６は、図５のステップＳ３における判定処理を説明するためのフローチャートである。
【図７】図７は、図１に示した機器管理システム１において、３台の電子黒板２に設定情報変更処理を実行した例を説明するための図である。
【図８】図８は、図１に示した機器管理システム１において、３台の電子黒板２に設定情報変更処理を実行した例を説明するための図である。
【図９】図９は、図１に示した機器管理システム１において、３台の電子黒板２に設定情報変更処理を実行した例を説明するための図である。
【図１０】図１０は、本発明の第二の実施の形態に係る設定情報変更処理の流れを示したフローチャートである。
【発明を実施するための形態】
【００１０】
以下に添付図面を参照して、本発明に係る機器管理システムの一実施の形態を詳細に説明する。図１は、本発明の実施の形態に係る機器管理システム１の一例の構成を示す。ネットワーク１０に対して、管理者用クライアント４および機器管理サーバ３が接続されると共に、この機器管理システム１による管理対象となる複数台の電子機器２（図１では３台を例示）が接続される。なお、本実施形態においては、電子機器２は電子黒板であるとする（以下、電子機器２を「電子黒板２」とも呼ぶ）。
【００１１】
各電子黒板２は、ネットワークを介して管理者用クライアント４および機器管理サーバ３と接続されている。各電子黒板２には、機器管理サーバ３から一意に識別可能とするために、それぞれ固有の識別情報が与えられる。
【００１２】
機器管理サーバ３は、各電子黒板２に対して設定される設定情報を管理する。機器管理サーバ３は、各電子黒板２からの要求に応じて、この設定情報を、要求のあった電子黒板２に対してネットワーク１１を介して供給する。設定情報が供給された電子黒板２は、当該設定情報に基づき所定に設定変更処理を行う。
【００１３】
本発明の実施形態においては、電子黒板２は、設定情報を機器管理サーバ３に対して要求する際に、当該電子黒板２自身の状態が設定情報による設定が可能な状態か否かを判断する。その結果、設定情報による設定が可能な状態であると判断されたら、設定情報を機器管理サーバ３に対して要求する。電子黒板２は、設定情報による設定が完了したら、設定結果を機器管理サーバ３に送信する。機器管理サーバ３は、ネットワーク１０を介して接続される各電子黒板２から送信された設定結果を保持および管理する。
【００１４】
管理者用クライアント４は、例えば一般的なコンピュータであって、機器管理サーバ３のＵＩ(User  Interface)として機能する。管理者用クライアント４は、ユーザ操作に応じて機器管理サーバ３を制御し、この機器管理システム１に管理される各電子機器１３と定情報とを対応付け、設定情報の変更などを行う。
【００１５】
図２は、機器管理サーバ３の一例の構成を示す。機器管理サーバ３は、一般的なコンピュータを用いて構成できる。機器管理サーバ３において、バス１００に対してＣＰＵ(Central  Processing  Unit)３０１、ＲＯＭ(Read  Only  Memory)３０２、ＲＡＭ(RandomAccess  Memory)３０３、ネットワークＩ／Ｆ３０４、ハードディスク３０５、入出力Ｉ／Ｆ３０６、ドライブ装置３０７および表示制御部３０８が接続される。バス１００に接続される各部は、バス１００を介して互いにデータのやりとりを行うことができるようにされている。
【００１６】
ＣＰＵ３０１は、ＲＯＭ３０２やハードディスク３０５に予め記憶されたプログラムに従い、ＲＡＭ３０３をワークメモリとして用いてこの機器管理サーバ３の全体の動作を制御する。
【００１７】
ハードディスク３０５は、上述した各電子黒板２の設定情報や設定結果を示す情報、各電子黒板２の管理情報などが、各電子黒板２の識別情報と対応付けられて格納される。ハードディスク１０５に対して、各電子黒板２を認証するための認証情報をさらに格納してもよい。また、ハードディスク３０５は、ＣＰＵ３０１が動作するためのプログラムおよび当該プログラムが用いるデータが格納されると共に、プログラムの実行に際して発生したデータなどを一時的に格納することもできる。
【００１８】
入出力Ｉ／Ｆ３０６は、この機器管理サーバ３に対するデータの入出力を制御する。例えば、入出力Ｉ／Ｆ３０６に対してキーボードやマウスなどの入力デバイスが接続される。これら入力デバイスに対するユーザ操作に応じた制御信号が入出力Ｉ／Ｆ３０６から出力され、バス１００を介してＣＰＵ３０１に供給される。また、入出力Ｉ／Ｆ３０６がＵＳＢ(Universal  Serial  Bus)やＩＥＥＥ(Institute  Electrical  and  Electronics  Engineers)１３９４といったシリアルインターフェイスに対応していてもよい。
【００１９】
ドライブ装置３０７は、ＣＤ(Compact  Disc)やＤＶＤ(Digital  Versatile  Disc)といったディスク記憶媒体３１０からデータを読み出す。これに限らず、ドライブ装置３０７の対応する記憶媒体が不揮発性の半導体メモリなどであってもよい。上述したＣＰＵ３０１が動作するためのプログラムは、例えばこれらＣＤ、ＤＶＤ、不揮発性の半導体メモリなどの記憶媒体に記憶されて提供され、ドライブ装置３０７から読み込まれてハードディスク１０５に対して所定に格納される。表示制御部３０８は、ＣＰＵ３０１により生成された表示制御信号を、ディスプレイ３１１が表示可能な形式の信号に変換して出力する。
【００２０】
ネットワークＩ／Ｆ３０４は、例えばＴＣＰ／ＩＰ(Transmission  Control  Protocol/Internet  Protocol)に対応し、ＬＡＮ(Local  Area  Network)によるネットワーク１０に接続され、当該ネットワーク１０を介した通信を制御する。ネットワークＩ／Ｆ１０４がさらにインターネットに対応していてもよい。なお、この機器管理サーバ３に対して、ネットワーク１０上での位置を表すアドレスが設定される。ネットワーク１０がＴＣＰ／ＩＰに対応する場合、このアドレスは、ＩＰ(Internet  Protocol)アドレスである。
【００２１】
管理者用クライアント４は、機器管理サーバ３と同様の構成で実現可能なので、ここでの詳細な説明は省略する。
【００２２】
図３は、電子黒板２のハードウェア構成図である。図３に示されているように、電子黒板２は、ＣＰＵ(Central  Processing  Unit)２０１、ＲＯＭ(Read  Only  Memory)２０２、ＲＡＭ(Random  Access  Memory)２０３、ＳＳＤ(Solid  State  Drive)２０４、ネットワークＩ／Ｆ２０５、及び、外部機器接続Ｉ／Ｆ(Interface)２０６を備えている。
【００２３】
これらのうち、ＣＰＵ２０１は、電子黒板２全体の動作を制御する。ＲＯＭ２０２は、ＣＰＵ２０１やＩＰＬ(Initial  Program  Loader)等のＣＰＵ２０１の駆動に用いられるプログラムを記憶する。ＲＡＭ２０３は、ＣＰＵ２０１のワークエリアとして使用される。ＳＳＤ２０４は、電子黒板用のプログラム等の各種データを記憶する。ネットワークＩ／Ｆ２０５は、通信ネットワークとの通信を制御する。外部機器接続Ｉ／Ｆ２０６は、各種の外部機器を接続するためのインターフェースである。この場合の外部機器は、例えば、ＵＳＢ(Universal  Serial  Bus)メモリ２３０、外付け機器（マイク２４０、スピーカ２５０、カメラ２６０）である。
【００２４】
また、電子黒板２は、キャプチャデバイス２１１、ＧＰＵ２１２、ディスプレイコントローラ２１３、接触センサ２１４、センサコントローラ２１５、電子ペンコントローラ２１６、近距離通信回路２１９、及び近距離通信回路２１９のアンテナ２１９ａ、電源スイッチ２２２及び選択スイッチ類２２３を備えている。
【００２５】
これらのうち、キャプチャデバイス２１１は、外付けのＰＣ(Personal  Computer))２７０のディスプレイに対して映像情報を静止画または動画として表示させる。ＧＰＵ(Graphics  Processing  Unit)２１２は、グラフィクスを専門に扱う半導体チップである。ディスプレイコントローラ２１３は、ＧＰＵ２１２からの出力画像をディスプレイ２８０等へ出力するために画面表示の制御及び管理を行う。
【００２６】
センサコントローラ２１５は、接触センサ２１４の処理を制御する。近距離通信回路２１９は、ＮＦＣ(Near  Field  Communication)やＢｌｕｅｔｏｏｔｈ（登録商標）等の通信回路である。電源スイッチ２２２は、電子黒板２の電源のＯＮ／ＯＦＦを切り換えるためのスイッチである。選択スイッチ類２２３は、例えば、ディスプレイ２８０の表示の明暗や色合い等を調整するためのスイッチ群である。
【００２７】
更に、電子黒板２は、バスライン２１０を備えている。バスライン２１０は、図３に示されているＣＰＵ２０１等の各構成要素を電気的に接続するためのアドレスバスやデータバス等である。
【００２８】
図４は、本実施形態に係る電子黒板２及び機器管理サーバ３の機能構成に関するブロック図である。なお、図４は、本実施形態に係る電子黒板２及び機器管理サーバ３が有する機能のうち、本発明に関わる機能を便宜上図示したものである。同図に示す様に、電子黒板２は、受信部２ａ、設定制御部２ｂ、送信部２ｃとしての機能を有する。機器管理サーバ３は、送信部３ａ、受信部３ｂ、表示部３ｃとしての機能を有する。
【００２９】
受信部２ａは、機器管理サーバ３からの設定情報変更要求、及び設定の変更に用いられる設定情報を受信する。この受信部２ａは、ＣＰＵ２０１、ネットワークＩ／Ｆによって構成される。
【００３０】
設定制御部２ｂは、機器管理サーバ３からの設定情報変更要求に応じて、現在電子黒板２が設定情報変更処理を実行可能な状態であるか否かを判定する。設定制御部２ｂは、設定情報変更が実行可能と判定した場合には、機器管理サーバ３から受信部２ａを介して設定情報を取得し、設定情報変更を実行する。また、設定制御部２ｂは、設定情報変更が実行不可能と判定した場合には、設定情報変更の実行を保留する。さらに、設定制御部２ｂは、設定情報変更の実行を保留した場合には、設定情報変更が実行可能な状態になった後、機器管理サーバ３から受信部２ａを介して設定情報を取得し、設定情報変更を実行する。
【００３１】
本実施形態では、設定制御部２ｂの機能は、ＣＰＵ３０１が専用のプログラムをＲＡＭ３０３上で実行することで実現される。しかしながら、当該例に限定されず、設定制御部２ｂの一部又は全部を、同様の各機能を実行するように設計された専用のハードウェア、例えばＡＳＩＣ（Application  Specific  Integrated  Circuit）、ＤＳＰ（digital  signal  processor）、ＦＰＧＡ（field  programmable  gate  array）等の半導体集積回路や従来の回路モジュール等によって実現するようにしてもよい。
【００３２】
送信部２ｃは、設定情報の要求、設定制御部２ｂが行った設定情報変更処理の結果を機器管理サーバ３に送信する。この送信部２ｃは、ＣＰＵ２０１、ネットワークＩ／Ｆ２０５によって構成される。
【００３３】
送信部３ａは、電子黒板２の受信部２ａに、ネットワークを介して設定情報変更要求、変更に用いる設定情報を送信する。この受信部２ａは、ＣＰＵ３０１、ネットワークＩ／Ｆ３０４によって構成される。
【００３４】
受信部３ｂは、電子黒板２の送信部２ｃから、ネットワークを介して設定情報変更要求、設定制御部２ｂが行った設定情報変更処理の結果を受信する。この受信部２ａは、ＣＰＵ３０１、ネットワークＩ／Ｆ３０４によって構成される。
【００３５】
表示部３ｃは、受信部３ｂが受け取った設定情報変更処理の結果を表示する。この受信部２ａは、表示制御部３０８、ディスプレイ３１１によって構成される。
【００３６】
（設定情報変更処理）
図５は、各電子黒板２に対して実行される、本発明の実施形態に係る設定情報変更処理の流れを示したフローチャートである。図６は、図５のステップＳ３における判定処理を説明するためのフローチャートである。図７、図８、図９は、図１に示した機器管理システム１において、３台の電子黒板２に設定情報変更処理を実行した例を説明するための図である。
【００３７】
図５に示す様に、機器管理サーバ３の送信部３ａは、電子黒板２の受信部２ａに、ネットワークを介して設定情報変更要求、変更に用いる設定情報を送信する（ステップＳ１）。電子黒板２の受信部２ａは、ネットワークを介して、機器管理サーバ３からの設定情報変更要求を受信する（ステップＳ２）。
【００３８】
設定制御部２ｂは、機器管理サーバ３からの設定情報変更要求に応じて、現在電子黒板２が設定情報変更処理を実行可能な状態であるか否かを判定する（ステップＳ３）。
【００３９】
設定情報変更処理を実行するためには、電子黒板２が使用中でなくスタンバイモードである必要がある。従って、設定制御部２ｂは、図６に示す様に、電子黒板２が現在スタンバイモードであるか否かを判定する（ステップＳ３０）。電子黒板２が現在スタンバイモードであると判定した場合には（ステップＳ３０のＹｅｓ）、設定制御部２ｂは、「電子黒板２は、現在、設定情報変更を実行可能な状態である」と判定する（ステップＳ３２）。一方、電子黒板２が現在スタンバイモードでないと判定した場合には（ステップＳ３０のＮｏ）、設定制御部２ｂは、「電子黒板２は、現在、設定情報変更を実行不可能な状態である」と判定する（ステップＳ３１）。ここで、「電子黒板２が現在スタンバイモードでない」とは、具体的には、電子黒板２が使用中である状態（アクティブモードの状態）、電源がＯＦＦになっている状態等を意味する。
【００４０】
また、「現在、電子黒板２は設定情報変更を実行不可能な状態である」と判定した場合、設定制御部２ｂは、電子黒板２がスタンバイモードになるまで設定情報変更処理を待機（保留）させ（ステップＳ３１）、「電子黒板２は、現在、設定情報変更を実行可能な状態である」と判定するまでステップＳ３０、ステップＳ３１の処理を繰り返し実行する。
【００４１】
図５に戻り、「電子黒板２は、現在、設定情報変更を実行可能な状態である」と判定されると、送信部２ｃは、設定情報の要求を機器管理サーバ３に送信する（ステップＳ４）。機器管理サーバ３の受信部３ｂは、電子黒板２からの設定情報の要求を受信する（ステップＳ５）。機器管理サーバ３の送信部３ａは、電子黒板２からの設定情報の要求に応答して、ネットワークを介して電子黒板２の受信部２ａに設定情報を送信する（ステップＳ６）。
【００４２】
電子黒板２の受信部２ａは、機器管理サーバ３の送信部３ａから送信された設定情報を受信する（ステップＳ７）。設定制御部２ｂは、受信された設定情報を用いて、当該電子黒板２の設定情報を変更する（ステップＳ８）。当該電子黒板２の設定情報の変更処理が完了すると、送信部２ｃは、変更処理の結果（例えば、「変更処理の完了」、「変更処理は実施できなかった」等）を、ネットワークを介して機器管理サーバ３の受信部３ｂに送信する（ステップＳ１０）。
【００４３】
機器管理サーバ３の受信部３ｂは、電子黒板２の送信部２ｃからの変更処理の結果を受信する（ステップＳ９）。機器管理サーバ３の表示部３ｃは、受信された変更処理の結果を表示する（ステップＳ１１）。
【００４４】
上述した設定情報変更処理は、図１に示した各電子黒板に対して個別に実施されることになる。例えば、図７に示す様に、機器管理サーバ３は、電子黒板２Ａ、２Ｂ、２Ｃのそれぞれに対して設定情報変更要求を出す場合を想定する。係る場合において、電子黒板２Ａ、２Ｃは、それぞれスタンバイモードの状態である一方、電子黒板２Ｂがスタンバイモードの状態でない場合には、図８に示す様に、電子黒板２Ｂの設定情報変更処理は保留され、電子黒板２Ａ、２Ｃにおいて設定情報変更処理が実行される。その後、図９に示す様に、電子黒板２Ｂがスタンバイモードの状態に切り替わったタイミングで、電子黒板２Ｂにおいて設定情報変更処理が実行されることになる。
【００４５】
以上述べた様に、本発明の第一の実施形態に係る電子黒板、機器管理システムによれば、電子黒板は、機器管理サーバから設定変更処理の実行要求を受け取ったことを契機として、設定情報変更処理が実行可能か否かを判定する。設定情報変更処理が実行可能と判定した場合には、電子黒板は、機器管理サーバからネットワークを介して設定情報を取得して設定変更処理を実行する。また、設定変更処理が実行不可能と判定した場合には、電子黒板は、設定変更処理の実行を保留し、設定変更処理が実行可能な状態になった後、機器管理サーバからネットワークを介して設定情報を取得して設定変更処理を実行する。設定変更処理に関する結果は、電子黒板から機器管理サーバに送信される。
【００４６】
従って、機器管理システムから設定情報変更要求に対して、電子黒板側が使用状況や状態を判定し、自身の適切なタイミングで設定情報変更情報の取得及び実施を実行することができる。このため、機器管理サーバが要求する設定情報変更処理のタイミングが電子黒板と合わなくても、電子黒板側にとって適切なタイミングで確実に設定情報変更処理を実行することができる。特に、機器管理サーバが管理する電子黒板が複数ある場合であっても、電子黒板間で設定情報変更が可能な期間にずれがあっても、一括して確実に設定変更処理を実行することができる。その結果、機器管理サーバは、電子黒板の現在の状況を考慮せずに、電子黒板に対して設定情報変更処理を要求することができる。
【００４７】
従来の電子黒板、機器管理システムでは、電子黒板は再起動しないと設定変更が反映されない場合には、機器管理システム側から再起動を行うか、電子黒板に設定されている自動再起動の設定時間までの経過を待つしかない。機器管理システム側からの再起動は、電子黒板側の状況がわからないので、もし使用中であった場合は使用者の迷惑となる。また、自動再起動は、設定の時間まで待たないといけないので、結果の確認まで時間がかかってしまう。本発明の第一の実施形態に係る電子黒板、機器管理システムによれば、従来のこれらの問題が発生することはない。
【００４８】
（第二の実施形態）
次に、本発明の第二の実施形態に係る機器管理システムについて説明する。本実施形態に係る機器管理システムは、電子黒板自身が設定情報変更のタイミングを判定する構成に加えて、外部又は装置内部の予約システムから当該装置の予約情報を取得し、これを踏まえて設定情報変更のタイミングを判定するものである。
【００４９】
図１０は、各電子黒板２に対して実行される、本発明の第二の実施の形態に係る設定情報変更処理の流れを示したフローチャートである。図５に示したステップＳ１、ステップＳ２、図６に示したステップＳ３０の処理が実行され、図６に示したステップＳ３１において設定情報変更処理が保留されると、設定制御部２ｂは、ネットワークを介して当該電子黒板が設置された会議室の使用予約情報、又は当該電子黒板２の使用予約情報を、受信部２ａを介して取得する（ステップＳ３３）。
【００５０】
設定制御部２ｂは、取得した会議室の使用予約情報又は当該電子黒板２の使用予約情報を参照し、当該電子黒板２が使用される予定の無い時間帯を特定し（ステップＳ３４）、特定された時間帯に設定情報変更処理の実行を設定する（ステップＳ３５）。
【００５１】
設定制御部２ｂは、ステップＳ３５において設定された時間帯なったことを契機として、当該電子黒板２が現在スタンバイモードであるか否かを判定する。当該電子黒板２が現在スタンバイモードであると判定した場合には、設定制御部２ｂは、「電子黒板２は、現在、設定情報変更を実行可能な状態である」と判定し（ステップＳ３６）、図５のステップＳ４の処理に進む。以降、第一の実施形態に係る設定情報変更処理と同様である。
【００５２】
以上述べた様に、本発明の第二の実施形態に係る電子黒板、機器管理システムによれば、設定情報変更処理が保留された場合には、当該電子黒板が設置された会議室の使用予約情報、又は当該電子黒板２の使用予約情報を参照して、電子黒板が使用されていない時間帯に、設定情報変更処理の実行を自動的に設定できる。
【００５３】
本実施形態においては、電子機器２は電子黒板である場合を例示した。しかしながら、本発明の技術的思想は、当該例に限定されない。例えば、電子機器２は、複写機、プリンタ、イメージスキャナ、ファクシミリとして使用可能なＭＦＰ(Multifunction  Peripheral/Product/Printer)である画像形成装置であってもよい。
【００５４】
なお、本実施形態の診断装置で実行されるプログラムは、ＲＯＭ等に予め組み込まれて提供される。
【００５５】
本実施形態の診断装置で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録してコンピュータ・プログラム・プロダクトとして提供するように構成してもよい。
【００５６】
さらに、本実施形態の診断装置で実行されるプログラムを、インターネット等のネットワークに接続されたコンピュータ上に格納し、ネットワーク経由でダウンロードさせることにより提供するように構成しても良い。また、本実施形態の診断装置で実行されるプログラムをインターネット等のネットワーク経由で提供または配布するように構成しても良い。
【００５７】
本実施形態の診断装置で実行されるプログラムは、上述した各部（通信制御部、判定部など）を含むモジュール構成となっており、実際のハードウェアとしてはＣＰＵ（プロセッサ）が上記ＲＯＭからプログラムを読み出して実行することにより上記各部が主記憶装置上にロードされ、各部が主記憶装置上に生成されるようになっている。
【符号の説明】
【００５８】
１  機器管理システム
２  電子機器（電子黒板）
３  機器管理サーバ
４  管理者用クライアント
１０  ネットワーク
１３  電子機器
２０１  ＣＰＵ
２０２  ＲＯＭ
２０３  ＲＡＭ
２０４  ＳＳＤ
２０５  ネットワークＩ／Ｆ
２０６  外部機器接続Ｉ／Ｆ
２１１  キャプチャデバイス
２１２  ＧＰＵ
２１３  ディスプレイコントローラ
２１４  接触センサ
２１５  センサコントローラ
２１６  電子ペンコントローラ
２２２  電源スイッチ
２２３  選択スイッチ
２４０  マイク
２５０  スピーカ
２６０  カメラ
２７０  ＰＣ
２８０  ディスプレイ
３０１  ＣＰＵ
３０２  ＲＯＭ
３０３  ＲＡＭ
３０４  ネットワークＩ／Ｆ
３０５  ＨＤ
３０６  入出力Ｉ／Ｆ
３０７  ドライブ装置
３０８  表示制御部
３１０  ディスク記憶媒体
３１１  ディスプレイ
【先行技術文献】
【特許文献】
【００５９】
【特許文献１】特開２０１１−９０４０６号公報
【図１】
2020155897.tif 000003
【図２】
2020155897.tif 000004
【図３】
2020155897.tif 000005
【図４】
2020155897.tif 000006
【図５】
2020155897.tif 000007
【図６】
2020155897.tif 000008
【図７】
2020155897.tif 000009
【図８】
2020155897.tif 000010
【図９】
2020155897.tif 000011
【図１０】
2020155897.tif 000012